(57)【要約】【課題】  １本の電話回線に複数の通信装置を並列的に接続した場合、上記各通信装置がナンバーディスプレイサービスに対応した機能を備えていると、上記ナンバーディスプレイサービスに各装置毎に対応してしまうため、各装置と中継局との処理タイミングを正確に取ることができず、結果的にナンバーディスプレイサービスに対応できなくなるという問題がある。【解決手段】  発信者電話番号案内サービスに対応した通信装置３であって、１本の電話回線Ｌに並列に接続された他の装置５が発信者電話番号案内サービスに対応して一次応答を行ったか否かを判定する手段１１と、該手段の判定の結果上記他の装置が一次応答を行っていないと判定した時、一次応答を行う手段６とを備える。【選択図】    図２
2004159364.tif 000002
【特許請求の範囲】
【請求項１】
発信者電話番号案内サ−ビスに対応し、他の装置と並列に１本の電話回線に接続可能であると共に電話を内蔵する通信装置であって、
回線からの１６Ｈｚ信号を検出する検出回路と、
該検出回路が１６Ｈｚ信号の到来を検出すると前記内蔵電話のオフフックによる回線閉結を禁止し、前記検出回路が検出した１６Ｈｚ信号のオン期間が起動信号として規定されている所定時間でないと判定すると、前記内蔵電話のオフフックによる回線閉結の禁止を解除するように制御する制御回路とを有することを特徴とする通信装置。
【請求項２】
発信者電話番号案内サ−ビスに対応し、他の装置と並列に１本の電話回線に接続可能であると共に電話を内蔵する通信装置であって、
回線からの１６Ｈｚ信号を検出する検出回路と、
該検出回路が１６Ｈｚ信号の到来を検出すると前記内蔵電話のオフフックによる回線閉結を禁止し、前記検出回路が検出した１６Ｈｚ信号のオフ期間が起動信号として規定されている所定時間でないと判定すると、前記内蔵電話のオフフックによる回線閉結の禁止を解除するように制御する制御回路とを有することを特徴とする通信装置。
【請求項３】
発信者電話番号案内サ−ビスに対応し、他の装置と並列に１本の電話回線に接続されると共に電話を内蔵する通信装置であって、
回線からの１６Ｈｚ信号を検出する検出回路と、
該検出回路が１６Ｈｚ信号の到来を検出すると前記内蔵電話のオフフックによる回線閉結を禁止し、前記検出回路が検出した１６Ｈｚ信号のオン期間が起動信号として規定されている所定時間であると判定すると共に前記検出回路が検出した１６Ｈｚ信号のオフ期間が起動信号として規定されている所定時間であると判定すると、前記１６Ｈｚ信号が起動信号であると判定し、一方、前記検出回路が検出した１６Ｈｚ信号のオン期間が起動信号として規定されている所定時間でないと判定するか又は、前記検出回路が検出した１６Ｈｚ信号のオフ期間が起動信号として規定されている所定時間でないと判定すると、前記内蔵電話のオフフックによる回線閉結の禁止を解除するように制御する制御回路と、
を有することを特徴とする通信装置。
【発明の詳細な説明】
【技術分野】
【０００１】
本発明は、通信装置に関する。
【背景技術】
【０００２】
現在、電話装置やファクシミリ装置等の通信装置においては、本年２月１日から全国的にサービスが開始された発信者電話番号案内サービス（ナンバーディスプレイサービス）に対応した機能を備えている（例えば、特開平８−２０４８０７号公報参照）。このサービスは、着信時に中継局より発呼側の電話番号を通知するサービスであり、上記装置をこのサービスに対応させれば着信側閉結前に発呼側の確認を行えることとなる。
【発明の開示】
【発明が解決しようとする課題】
【０００３】
ところが、従来より１本の電話回線に１台の通信装置を接続するケースだけではなく、複数の通信装置を並列に接続するケースが多々ある。
【０００４】
このように、１本の電話回線に複数の通信装置を並列的に接続した場合、上記各通信装置がナンバーディスプレイサービスに対応した機能を備えていると、上記ナンバーディスプレイサービスに各装置毎に対応してしまうため、各装置と中継局との処理タイミングを正確に取ることができず、結果的にナンバーディスプレイサービスに対応できなくなるという問題がある。
【課題を解決するための手段】
【０００５】
本発明は、上記課題に鑑みてなされたもので、その特徴は、発信者電話番号案内サ−ビスに対応し、他の装置と並列に１本の電話回線に接続可能であると共に電話を内蔵する通信装置であって、回線からの１６Ｈｚ信号を検出する検出回路と、該検出回路が１６Ｈｚ信号の到来を検出すると前記内蔵電話のオフフックによる回線閉結を禁止し、前記検出回路が検出した１６Ｈｚ信号のオン期間が起動信号として規定されている所定時間でないと判定すると、前記内蔵電話のオフフックによる回線閉結の禁止を解除するように制御する制御回路とを有することにある。
【０００６】
又、発信者電話番号案内サ−ビスに対応し、他の装置と並列に１本の電話回線に接続可能であると共に電話を内蔵する通信装置であって、回線からの１６Ｈｚ信号を検出する検出回路と、該検出回路が１６Ｈｚ信号の到来を検出すると前記内蔵電話のオフフックによる回線閉結を禁止し、前記検出回路が検出した１６Ｈｚ信号のオフ期間が起動信号として規定されている所定時間でないと判定すると、前記内蔵電話のオフフックによる回線閉結の禁止を解除するように制御する制御回路とを有することを特徴とする。
【０００７】
更に、発信者電話番号案内サ−ビスに対応し、他の装置と並列に１本の電話回線に接続されると共に電話を内蔵する通信装置であって、回線からの１６Ｈｚ信号を検出する検出回路と、該検出回路が１６Ｈｚ信号の到来を検出すると前記内蔵電話のオフフックによる回線閉結を禁止し、前記検出回路が検出した１６Ｈｚ信号のオン期間が起動信号として規定されている所定時間であると判定すると共に前記検出回路が検出した１６Ｈｚ信号のオフ期間が起動信号として規定されている所定時間であると判定すると、前記１６Ｈｚ信号が起動信号であると判定し、一方、前記検出回路が検出した１６Ｈｚ信号のオン期間が起動信号として規定されている所定時間でないと判定するか又は、前記検出回路が検出した１６Ｈｚ信号のオフ期間が起動信号として規定されている所定時間でないと判定すると、前記内蔵電話のオフフックによる回線閉結の禁止を解除するように制御する制御回路と、を有することを特徴とする。
【発明の効果】
【０００８】
以上の説明より明らかな如く、本発明によれば１本の電話回線にナンバーディスプレイサービスに対応した機能を有する通信装置を並列的に接続した場合であっても、中継局からのモデム信号を確実に受信可能である。
【発明を実施するための最良の形態】
【０００９】
図１は、ナンバーディスプレイサービスの受信手順の一例を示す模式図であり、まずはこの模式図に基づいてナンバーディスプレイサービスの受信手順を説明する。
【００１０】
中継局は、発呼者側より接続要求があると、着呼者側に接続されている電話回線の極性を反転させると共に１６Ｈｚの周期１秒、断続比５０％（オン：オフ
＝１：１）の起動信号（ＣＡＲ）を電話回線を介して着呼者側端末に送出する。着呼者側端末が上記起動信号（ＣＡＲ）を検出し回線を閉結することにより一次応答を行うと、中継局はこれを検出し、発呼者側を示す情報（電話番号等）を１２００ｂｐｓのモデム信号に変換して着呼者側端末に送出する。着呼者側端末がこの情報の受信を完了し回線を開放する。この開放を中継局が検出すると、中継局は１６Ｈｚの通常の呼出信号（１秒オン、２秒オフ）を電話回線を介して着呼者側端末に送出する。
【００１１】
尚、上記起動信号（ＣＡＲ）は電話回線の極性反転後６秒間だけ送出される信号であり、この期間に着信側端末からの一次応答がない場合には、着信者側装置はナンバーディスプレイサービスに対応していないものと見做して、このサービスを中断し、通常の呼び出しを行う。また、中継局において上記一次応答の受信に基づくモデム信号の送出完了後、約２秒（ダイヤルイン機能付きの場合）又は６秒（ダイヤルイン機能無しの場合）以内に着呼者側端末が受信完了処理を行わなければならず、この時間内にモデム信号の受信完了を示す着呼者側端末の回線開放を検出できない場合には、エラー発生としてビープトーンを回線に送出し発呼者側からの接続要求に基づく呼出処理を中止する。
【００１２】
図２は、本発明を適用してなるファクシミリ装置の主要回路構成を示す
ブロック図である。
【００１３】
本実施例装置は、トランス１、モデム２及び主制御部３を備えるＦＡＸ部と、ハンドセットからなる内蔵電話４を備えると共に外付電話５を接続可能な電話
部とを有し、ＣＭＬリレー６により電話回線ＬをＦＡＸ部と電話部とに選択的に切換接続する。上記ＣＭＬリレー６の電話回線Ｌ側には、電話回線Ｌの極性反転を検出する転極検出回路７と、１６Ｈｚ信号を検出するための検出回路８とが接続されている。上記回路７及び８の検出結果は主制御部３に出力される。上記ＦＡＸ部では、ＣＭＬリレー６の接点ａにトランス１、モデム２、主制御部３の順に接続されている。上記電話部では、ＣＭＬリレー６の接点ｂに、第１開閉リレー９を介して内蔵電話４が接続され、また第２開閉リレー１０およびフック検出回路１１を介して外付電話５が接続されている。上記フック検出回路１１は、例えばフォトカプラで構成され、ＣＭＬリレー６、第２開閉リレー１０を介して外付電話５が電話回線Ｌと閉結された際に発生する回線電流を検出し、その検出結果を主制御部３に出力する。上記ＣＭＬリレー６、第１、第２の開閉リレー９、１０は、上記主制御部３により制御される。また、上記ＣＭＬリレー６の接点ａ，ｂ間は、例えばコンデンサ１３等によりハイインピーダンス結合されている。
【００１４】
主制御部３は、内蔵の制御プログラムに従って上記各部の制御を司る。
【００１５】
図３及び図４は、上記制御プログラムに従う主制御部３の着信時の制御動作を示すフローチャートであり、以下ではこのチャートに従って本実施例装置の着
信時動作を説明する。
【００１６】
本実施例装置では、その待機時、ＣＭＬリレー６は接点ｂ側に接続され、第１、第２開閉接点９、１０は共に閉状態にある。
【００１７】
この状態で、主制御部３は、Ｓ１ステップにおいて、中継局からの呼出（着信）の有無を判定する。具体的には、中継局からの着信の最初には、１６Ｈｚ信号が電話回線Ｌを介して到来するか又は電話回線Ｌの極性が反転する。上記１６Ｈｚ信号の到来は１６Ｈｚ検出回路８が検出し、その検出結果を主制御部３に送出し、電話回線Ｌの極性反転は転極検出回路７がこれを検出し、その検出結果を主制御部３に送出するので、主制御部３は上記検出結果に基づいて電話回線Ｌからの着信の有無を判定する。
【００１８】
上記Ｓ１ステップにおいて着信を検出すると、主制御部３はＳ２ステップにおいて電話回線Ｌから１６Ｈｚ信号が到来しているか否かを再度１６Ｈｚ検出回路８の出力に基づいて判定する。この判定、Ｓ１ステップにおいて判定した極性反転が回線異常によるものであったり、あるいは中継局における１６Ｈｚ信号の出力が極性反転から遅れて発生しＳ１ステップでは１６Ｈｚ信号の検出を行えない場合があるので、念のために１６Ｈｚ信号の到来の有無を判定するものであり、この判定において、１６Ｈｚ信号が到来していないと判定すると、処理をＳ１ステップに戻し待機状態となる。
【００１９】
上記Ｓ２ステップにおいて１６Ｈｚ信号の到来を検出すると、主制御部３は、Ｓ３ステップにおいて、内蔵の監視タイマをリセットし計時を開始させると共に第１開閉リレー９を開状態となし、内蔵電話４のオフフックによる回線閉結を禁止する。
【００２０】
続くＳ４ステップでは、主制御部３は、１６Ｈｚ信号のオン期間を測定する。具体的には、内蔵の期間測定タイマ回路を用いて１６Ｈｚ信号の立ち上がりから立ち下がりまでの時間を測定する。
【００２１】
上記１６Ｈｚ信号のオン期間の測定を終了すると、Ｓ５ステップにおいて、主制御部３は、Ｓ４ステップで測定した上記１６Ｈｚ信号のオン時間が上記起動信号（ＣＡＲ）として規定されている所定時間（約０．５秒）内であるか否かを判定する。主制御部３は、この判定において、上記所定時間以内と判定すると処理をＳ６ステップに進め、そうでない場合には処理をＳ８ステップに進める。
【００２２】
Ｓ６ステップでは、主制御部３は、１６Ｈｚ信号のオフ期間を測定する。具体的には、内蔵の期間測定タイマ回路を用いて１６Ｈｚ信号の立ち下がりから立ち上がりまでの時間を測定する。
【００２３】
上記１６Ｈｚ信号のオフ期間の測定を終了すると、Ｓ７ステップにおいて、主制御部３は、Ｓ６ステップで測定した上記１６Ｈｚ信号のオフ時間が上記起動信号（ＣＡＲ）として規定されている所定時間（約０．５秒）内であるか否かを判定する。主制御部３は、この判定において、上記所定時間以内と判定すると処理をＳ１０ステップに進め、そうでない場合には処理をＳ８ステップに進める。
【００２４】
即ち、上記Ｓ４〜Ｓ７ステップでは、Ｓ２ステップで検出した１６Ｈｚ信号が上記起動信号（ＣＡＲ）を示すものか否かを判定し、Ｓ５及びＳ７ステップにおいていずれもイエスと判定した際には、上記Ｓ２ステップで検出した１６Ｈｚ信号が上記起動信号（ＣＡＲ）を示すものと判断して、ナンバーディスプレイサービスの受信手順に従う処理を行うべくＳ１０ステップに処理を進める。一方、上記Ｓ５及びＳ７ステップにおいていずれかノーと判定した際には、上記Ｓ２ステップで検出した１６Ｈｚ信号が上記起動信号（ＣＡＲ）を示すものではなく通常の呼出信号と判断して処理をＳ８ステップに進める。
【００２５】
尚、本実施例では、上記Ｓ２ステップで検出した１６Ｈｚ信号が上記起動信号（ＣＡＲ）であるか否かを上記１６Ｈｚ信号のオン期間及びオフ期間の両期間で判定したが、一方で判定しても良い。
【００２６】
Ｓ８ステップでは、主制御部３は、上記Ｓ３ステップで開状態とした第１開閉リレー９を閉状態に戻すように第１開閉リレー９を制御し、続くＳ９ステップでは、上記Ｓ１ステップで検出された電話回線Ｌの極性反転が復極したか否かを転極検出回路７の検出結果に基づいて判定する。この判定は、発呼者側端末が電話回線を開放した際、これに伴って中継局は電話回線Ｌの極性反転を復極するため、実質的に発呼者側端末からの呼び出しが終了したか否かを判定することとなる。
【００２７】
上記Ｓ９ステップにおいて、復極を判定すると、主制御部３は処理をＳ１ステップに戻し待機状態となり、そうでない場合はＳ２ステップで検出された１６Ｈｚ信号は通常の呼出信号と判断して通常の受信処理を実行することとなる。
【００２８】
主制御部３が処理をＳ１０ステップに進める場合は、上述した如く上記Ｓ２ステップで検出した１６Ｈｚ信号が上記起動信号（ＣＡＲ）であると判定した場合であり、この場合には、まずＳ１０において外付電話５が上記起動信号（ＣＡＲ）を検出して一次応答を行ったか否かの判定を行う。具体的には、この状態では外付電話５はＣＭＬリレー６及び第２開閉リレー１０を介して電話回線Ｌに接続可能となっているので、外付電話５が上記起動信号（ＣＡＲ）に応答して回線を閉結する（一次応答）と、上記ＣＭＬリレー６及び第２開閉リレー１０を介して電話回線Ｌとの間で通話電流が流れることとなり、これをフック検出回路１１が検出し、この検出結果に基づいて主制御部３は外付電話５の一次応答を検出できる。Ｓ１０ステップにおいて、主制御部１０は、外付電話５の一次応答を検出すると処理を図４に示すＳ１３ステップに進め、検出できない場合は処理をＳ１１ステップに進める。
【００２９】
Ｓ１１ステップでは、主制御部３は、Ｓ３ステップにおいて計時を開始させた内蔵の監視タイマの計時時間が所定時間以上となったか否かを判定する。この判定は、上述した如く起動信号（ＣＡＲ）の発生期間は、電話回線Ｌの極性反転後約６秒間であり、この期間内に一次応答を行わない場合、中継局は着信者側装置はナンバーディスプレイサービスに対応していないものと見做して、このサービスを中断してしまうため、外付電話５が一次応答を行わない場合にはＦＡＸ部側で一次応答を行うための判定である。尚、本実施例では、上記所定時間を起動信号（ＣＡＲ）の発生期間より短く、かつ、通常のこの種装置において起動信号（ＣＡＲ）の検出から一次応答までに必要な時間を考慮して、約４秒に設定している。
【００３０】
上記Ｓ１１ステップにおいて、主制御部３は、内蔵の監視タイマの計時時間が所定時間以上ではないと判定すると処理をＳ１０ステップに戻し、一方そうでない場合には処理をＳ１２ステップに進める。
【００３１】
Ｓ１２ステップでは、主制御部３は、外付電話５に代わって起動信号（ＣＡＲ）に対する一次応答を行う。具体的には、主制御部３は、ＣＭＬリレー６を接点ａ側に切換接続し電話回線ＬにＦＡＸ部を接続閉結する。その後、主制御部３は処理を図４に示すＳ１３ステップに進める。
【００３２】
即ち、上記Ｓ１０〜Ｓ１２ステップでは、起動信号（ＣＡＲ）の発生開始から所定時間（約６秒）の間に外付電話５が一次応答を行わなかった場合には、本実施例装置自身が一次応答を行う。
【００３３】
図４に示すＳ１３ステップでは、主制御部３は、モデム１２を１２００ｂｐｓのモデム信号の受信に対応したモードにセットアップすると共に内蔵の監視タイマをリセット後計時をスタートさせる。
【００３４】
続くＳ１４ステップでは、主制御部３は、モデム信号の受信を行う。具体的には、一次応答を外付電話５が行ったことを上記Ｓ１０ステップで検出した際にはＣＭＬリレー６は接点ｂ側に接続された状態であるため、中継局より送信されるモデム信号は外付電話５において受信可能であると共にハイインピーダンスのコンデンサ１３を介してモデム１２も受信する。また、外付電話５が一次応答を行わず上記Ｓ１２ステップにおいてＣＭＬリレー６を接点ａ側に切換接続することにより一次応答を行った際にはＣＭＬリレー６は接点ａ側に接続された状態であるため、中継局より送信されるモデム信号は外付電話５では受信できないが、モデム１２はＣＭＬリレー６を介して受信することとなる。上記モデム１２で受信したモデム信号は、主制御部３で処理可能な形態に復調された後、主制御部３に送出される。
【００３５】
上記Ｓ１４ステップにおいてモデム信号を受信したと判定した場合には、主制御部３は処理をＳ１６ステップに進めるが、そうでない場合にはＳ１５ステップを処理する。
【００３６】
Ｓ１５ステップでは、主制御部３は、Ｓ１３ステップにおいて計時を開始させた内蔵の監視タイマの計時時間が第２の所定時間以上となったか否かを判定する。この判定は、上述した如く中継局におけるモデム信号の送信完了から特定時間（２秒又は６秒）以内に受信完了を行わなければエラーとなるため、モデム信号を受信していない場合であっても強制的に受信完了処理に移行するためのものである。中継局における一次応答検出からモデム信号の送信完了までの時間は約３秒と規定されているため、本実施例では上記第２の所定時間を４秒としている。
【００３７】
Ｓ１５ステップにおいて、主制御部３は、上記監視タイマが第２の所定時間を計時していないと判定すると処理をＳ１４ステップに戻し、一方計時したと判定すると処理をＳ１６ステップに進める。
【００３８】
Ｓ１６ステップでは、主制御部３は、Ｓ１３ステップにおいて１２００ｂｐｓのモデム信号の受信に対応したモードにセットしたモデム１２をＤＴＭＦ、ＣＮＧ等の他の信号の受信に対応したモードに復元すると共に、図示しない表示部への上記Ｓ１４ステップで受信したモデム信号中の発呼者側を示す情報の表示等を行う。
【００３９】
続くＳ１７ステップでは、主制御部３は、電話回線ＬからＦＡＸ部、電話部を全て開放して中継局に受信完了を明示する。具体的には、主制御部３は、ＣＭＬリレー６を接点ｂ側に接続すると共に第１、第２開閉リレー９、１０を開状態とし、この状態を１．２秒程度保持した後、上記第１、第２開閉リレー９、１０を閉状態に戻す。これにより、中継局は受信完了を検出できるため、その後回線Ｌ上に通常の呼出信号を送出することとなる。
【００４０】
Ｓ１７ステップの受信完了処理が終了すると、主制御部３は、中継局から送られてくる通常の呼出信号に基づいて通常の受信動作を実行することとなる。
【００４１】
このように本実施例によれば、外付電話５がナンバーディスプレイサービスに対応した機能を有していた場合であっても、外付電話５からの一次応答を優先し、かつ、この一次応答に基づいてモデム信号の受信タイミングを取るため、中継局との処理タイミングを正確に取ることができる。
【００４２】
また、外付電話５が一次応答を行わなかった場合、又は一次応答機能が有さない場合には、本実施例装置が外付電話５からの一次応答がないことを検出し、替わりに一次応答を行うので、一次応答を確実に行える。
【００４３】
更に、モデム信号受信後には、外付電話５の回線開放処理に関係なく、全ての装置を回線から切り離すため、中継局に対する受信完了通知を確実に行える。
【００４４】
尚、本実施例では、常に外付電話５の一次応答の有無を判定するように構成しているが、例えば外付電話５のナンバーディスプレイサービスに対応した機能の有無を予めスイッチ等で設定可能とし、ナンバーディスプレイサービスに対応した機能を有さない電話が外付電話として接続されていると設定されているときにはＳ１０、Ｓ１１ステップの外付電話５の一次応答検出をパスするように構成することができる。これにより、一次応答処理のための時間を短縮できる。また、この際には、起動信号（ＣＡＲ）よる外付電話５の鳴動に応答した回線閉結を防止するために中継局のナンバーディスプレイサービス期間中は内蔵電話４と同様にオフフックを禁止すべく、第２開閉リレー１０を開状態としておくことが好ましい。
【図面の簡単な説明】
【００４５】
【図１】ナンバーディスプレイサービスを説明するための模式図である。
【図２】本発明を適用してなる一実施例の主要回路構成を示すブロック図である。
【図３】本実施例の動作を説明するためのフローチャートである。
【図４】本実施例の動作を説明するためのフローチャートである。
【符号の説明】
【００４６】
２    モデム
３    主制御部
５    外付電話
６    ＣＭＬリレー
７    転極検出回路
８    １６Ｈｚ検出回路
１０  第２開閉リレー
１１  フック検出回路
【図１】
2004159364.tif 000003
【図２】
2004159364.tif 000004
【図３】
2004159364.tif 000005
【図４】
2004159364.tif 000006